(57)【特許請求の範囲】
【請求項１】
箱体中に表示板を引き出し自在に収納してなる箱体容器において、表示板にはその一部に切り込み線を設けることにより係止片を、箱体の側面部の１面にはその一部に切り込み線を設けることにより当該表示板の係止片と咬合する被係止部をそれぞれ設け、表示板を外部に引き出した場合に、表示板の係止片と箱体の被係止部とが咬合し、表示板を係止することができる表示板付き箱体容器。
【請求項２】
表示板の先端部に吊り下げ孔を設けたことを特徴とする請求項第１項に記載の表示板付き箱体容器。
【請求項３】
表示板の先端部の一部を延長して突出部を設けたことを特徴とする請求項第１項に記載の表示板付き箱体容器。
【請求項４】
前記突出部に吊り下げ孔を設けたことを特徴とする請求項第３項記載の表示板付き箱体容器。
【請求項５】
表示板を箱体に収納する際に表示板を折り畳んで収納することができることを特徴とする請求項第１項から第４項のいずれかに記載の表示板付き箱体容器。
【請求項６】
表示板の前記係止片および箱体の前記被係止部が、それぞれ、表示板および箱体の一部にＶ字またはＵ字の切り込み線を設けることにより形成されることを特徴とする請求項第１項から第５項のいずれかに記載の表示板付き箱体容器。
【請求項７】
表示板が鏡面体であることを特徴とする請求項第１項から第６項のいずれかに記載の表示板付き箱体容器。
【発明の詳細な説明】
【０００１】
【発明の属する技術分野】
本発明は表示板付き箱体容器に関し、さらに詳細には、製品の宣伝等や使用法等についての説明あるいは情報を表示する表示板を、箱体の外に突出させて表示することができる表示板付き箱体容器に関する。
【０００２】
【従来の技術】
従来より、化粧品や医薬部外品等を収納する収納容器では、製品の宣伝や、その内容物である化粧品等の使用方法あるいは取扱い上の注意書き等の説明・情報を、収納容器に取り付けられた表示体に記載することが多かった。また、場合によっては、この表示体に吊り下げ穴を設け、この部分で吊り下げて販売することも行われている。
【０００３】
しかしながら、収納容器に表示体を取り付けた場合、この表示体は、外部に突出してしまうことになるため、流通時等にかさばり、輸送効率を損なわせることとなってしまっていた。さらに、表示体は、輸送時に折れ曲がったり、破損したりしてしまうという問題が発生していた。
【０００４】
特に、製品の宣伝力等を上げるためや、情報を十分に提供するために、表示体を長くして面積を大きくする場合は、特に上記問題が著しく、その改善が強く求められていた。
【０００５】
【発明が解決しようとする課題】
従って、ある程度の大きさの面積の表示体を有しながら、輸送時等の流通段階においてはかさばることがなく、しかも表示部の折れ曲がりや破損が生じることのない箱体容器の開発が強く望まれていた。
【０００６】
これらの課題を解決すべく、本発明者らは鋭意検討を行った結果、表示板を輸送時には箱体中に収納することができ、また、この表示板を箱体から外部から引き出す場合に、該箱体に形成された被係止部と、表示板に形成された係止片が咬み合うことで連結され、箱体に表示板を係止・固定することができるようにすれば、上記課題を解決することができることを見出し、本発明を完成した。
【０００７】
【課題を解決するための手段】
すなわち本発明は、箱体中に表示板を実質的に収納してなる箱体容器において、表示板には係止片を、箱体の側面部の１面には当該表示板の係止片と咬合する被係止部をそれぞれ設け、表示板を外部に引き出した場合に、表示板の係止片と箱体の被係止部とが咬合し、表示板を係止することができる表示板付き箱体容器を提供するものである。
【０００８】
【発明の実施の形態】
以下、本発明の実施の形態を、図面とともに説明する。
【０００９】
図１から図３は本発明の一実施例である表示板付き箱体容器を示す図面であり、図１は該箱体容器から表示板を引き出した場合の正面側からの斜視図、図２は同じく該箱体容器の背面側からの斜視図、図３は該箱体容器の展開図と表示板を示す図面である。各図中、１は表示板付き箱体容器、２は箱体、３ａは側面正面部、３ｂは側面裏面部、４は側面部、５は固着部、６は蓋面部、７はフラップ、８は表示板、９は係止片、１０は被係止部である。
【００１０】
図１は本発明の表示板付き箱体容器（以下「箱体容器」とする）１において、側面裏面部３ｂ側に収納されていた表示板８を引き出した状態を示す図面である。この表示板８に設けられた係止片９が、図２に示すように、側面裏面部３ｂに設けられている被係止部１０と咬合し、これにより係止・固定され、箱体２の外に突出し、表示される。
【００１１】
この箱体容器１は、図３の展開図にあらわされるように、側面正面部３ａ及び側面裏面部３ｂと、その間に位置する２つの側面部４ａ及び４ｂが一体に連接されて形成されており、側面正面部３ａの一側には、箱体形成のための固着部５が連接される。また、側面正面部３ａの上下には、蓋面部６ａ及び６ｂが連接され、側面部４ａ及び４ｂの上下には、フラップ７が連接される。さらに、側面正面部３ａ、側面裏面部３ｂと側面部４ａ、４ｂとの連接部分、側面正面部３ａと蓋面部６ａ、６ａとの連接部分及び側面部４ａ、４ｂと各フラップ７との連接部分は一点破線で示される折り線が形成されており、折り曲げが容易になされるようになる。
【００１２】
箱体２の組み立てに際しては、図３で一点破線で表された各折り線を内側に折り曲げ、固着部５に接着剤等を塗布したり、いわゆるホッチキス止めなどの手段で、側面部４ｂの内側に固着させる。その後、フラップ７、次いで蓋面部６を箱体の開放部に差し込んで、閉じることにより、箱体２を得ることができる。なお、フラップ７は、必要に応じて設け、不要な場合は設けなくてもよい。
【００１３】
箱体２の側面裏面部３ｂには、その一部に切り込み線を設けることにより被係止部１０が形成される。この被係止部１０は、箱体２の中から表示板８が引き出された際に、表示板８に設けられた、後記係止片９と互いに咬合し、箱体２に表示板８を係止・固定する役割を持つ。
【００１４】
一方、表示板８にも、その一部に切り込み線を設けることにより係止片９が設けられる。この係止片９は、箱体２の側面裏面部３ｂに設けられた被係止部１０と、互いが咬み合う状態となるものであれば、特に形状的な制限はない。本実施態様においては、図３に示すように、表示板８を箱体２に挿入する方向に対し、係止片９の先端９ａおよび被係止部の先端１０ａが、互いに反対を向き合うようなＶ字型の切れ込みを箱体２の側面裏面部３ｂと表示板８に入れて、係止片９と被係止部１０を形成している。
【００１５】
本発明の箱体容器１において、表示板８が箱体２の中に収納されているときには、表示板８に設けられた係止片９の先端９ａと、箱体２の側面裏面部３ｂに設けられた被係止部１０の先端１０ａが、互いに向き合うように配置されている。この表示板８を箱体２から引き出す場合には、表示板８の全体が、箱体の被係止部１０が形成されている側面裏面部３ｂに沿うように引き出され、表示板８の係止片９が箱体２の側面裏面部３ｂの被係止部１０の位置に来た時に、係止片９と被係止部１０が交差して咬み合い、表示板８が突出した状態で係止・固定される。この場合、図４に示したように、箱体２の側面裏面部３ｂに設けられた被係止部１０は、表示板８の係止片９と咬合しやすくするため、先端１０ａが若干箱体２の内側方向に向いていることが好ましく、また、表示板８の係止片９も、箱体２の外側方向に向いていることが好ましい。
【００１６】
図５は、本発明の箱体容器１の別の実施態様を示す図である。この態様では、表示板８の先端に突出部１１を、また側面裏面部３ｂに引き出し用切れ込み１３を設けたものであり、表示板８を箱体２から引き出す場合に突出部１１を指でつまんで引き出せば、表示板８を容易に引き出すことができる。また、表示板８の先端部や上記突出部１１には吊り下げ孔１２を設けることもでき、吊り下げ展示に適した態様とすることもできる。表示板８の大きさは、箱体２に収納される部分の面積が、最大でも側面正面部３ａや側面裏面部３ｂの面積よりやや小さく、また引き出しやすい形状であれば特に制限はない。さらに、本発明の効果を損なわない範囲で、表示板８の先端や突出部１１が箱体から少々はみ出していても問題はない。
【００１７】
図６は、本発明の箱体容器１の別の実施態様を示す図面である。この態様によれば、箱体２の被係止部１０は、側面裏面部３ｂに連接し、箱体２に折り込んだ被係止片によって形成される。図７に、本態様における箱型容器１の展開図を示すが、箱体２の側面裏面部３ｂに連接して短い片が設けられており、この部分を内側に折り曲げることにより被係止部１０を形成することができる。この被係止部１０と、例えば、表示板８の下部を折り曲げる等によって形成された係止片９とを、互いに咬合させることにより、表示板８が係止・固定される。本態様の場合は、表示板８として引き出せる面積が大きくなるので、展示時の効果も大となる。
【００１８】
以上、本発明の箱体容器１について、いくつかの態様をあげて説明してきたが、本発明はこれらの態様に限定されるわけではなく、例えば、図１から図６では、箱体２の側面が４つあり、箱体２の立体形状が直方体であるものを例にあげてきたが、箱枠を三角柱としたり、五角柱以上の多角柱の形状とすることもできる。
【００１９】
表示板８の係止片９も、基本的形状であるＶ字型形状を例として説明してきたが、この形状に限定されるわけではなく、Ｕ字型の切れ込みを入れ、係止片９を形成することができる。箱体２の側面裏面部３ｂの被係止部１０の形状も、Ｖ字型以外にもＵ字型、横線状、切れ込みを交錯させた十字状、Ｔ字状などの切れ込みを入れて形成することができる。また、係止片９や被係止部１０の数は、１つだけでなく２つ以上をそれぞれに設けることもできる。係止片９と被係止部１０の咬み合わせの方法や咬み合わせ位置は、特に制限はなく適宜決定することができ、例えば箱体２の上部（側面裏面部３ｂの上部）に被係止部１０を、また表示板８の下部に係止片９を設ければ、咬み合わせ時に表示される表示板８の面積を大きくすることができる。
【００２０】
なお、本発明の箱体２を構成する材料としては、ある程度の強度と、折り曲げに耐えられる柔軟性を有する材料であれば特に制限はなく、例えば、各種の材質の紙やプラスチックのシート材を用いることができる。また、表示板８の材料は、上記した箱体２と同様な材質のものを用いることができる。
【００２１】
更に、表示板８は、収納時に折り畳めるものとし、これを外に引き出した際に広げることを可能とし、表示板８に記載する情報量を多くすることもできる。図８は当該態様を表したものであり、表示体８に折り返し部１４を設けたものである。
【００２２】
更にまた、表示板８には、商品情報ばかりでなく、例えば表面を鏡状にすれば、表示体８を引き出して顔等を映し出すことも可能となり、携帯用鏡の代用品として使用することもできる。その場合には、上記材料の表面に鏡面性を有するフィルムをコーティングしたものを、表示板８として用いてもよい。
【００２３】
【作用】
本発明の箱体容器１は、輸送時には表示板８が箱体２の中に収納されているため、表示板８が外部には突出せず、表示体を有しない通常の箱体容器と同様な形状である。よって、輸送等の流通経路でかさばったり、表示板８が折れ曲がったり、破損するような問題が生じることはない。
【００２４】
一方、表示板８を引き出し、箱体２の外に突出させることにより、表示板８に記載された宣伝や、製品の説明等のためにこの表示板８を使用することができる。そして、この表示板８は、該板に設けられた係止片９が箱体２に設けられた被係止部１０と咬合し、箱体２に係止・固定されるため、表示板８や箱体２に衝撃等で不意の力が加わっても、表示板８が箱体２から落下することはなく、かつ、表示板８を手で支えなくても箱体２に固定されることとなる。この表示板８は、手などで箱体２に押し込むことにより、再び箱体２の中に収納することができる。
【発明の効果】
【００２５】
上に詳説したように、本発明の表示板付き箱体容器は、表示体を薄板状とし、これを箱内に実質的に収納させることができるものとしたので、流通時のかさばりを防ぐことができ、輸送効率も良好となり、かつ輸送中の表示部の折れ曲がりや破損を防止することができる。そして、商品の展示時等においては、表示板を箱体と咬合させ、係止・固定させることができるので、宣伝や商品の説明等をより目に付きやすくすることができるものである。
【００２６】
従って、本発明の表示板付き箱体容器は、化粧品、医薬補助品あるいは医薬品、食品、玩具、文房具、電化製品、雑貨等をはじめ多くの商品の包装容器として極めて有用なものである。
【図面の簡単な説明】
【図１】  本発明の表示板付き箱体容器の一態様について、表示板を引き出した状態の側面正面側からの斜視図である。
【図２】  上記箱体容器について、表示板を引き出した状態の側面裏面側からの斜視図である。
【図３】  上記箱体容器の展開図である。
【図４】  箱体の被係止部と表示板の係止片の関係を、咬合前と咬合時について示した拡大断面図である。
【図５】  本発明の表示板付き箱体容器の別の実施態様について、表示板を引き出した状態の側面裏面側からの斜視図である。
【図６】  本発明の表示板付き箱体容器のさらにもう一つの実施態様について示す側面裏面側からの斜視図である。
【図７】  上記図６に示した態様を実施する表示体付き箱体容器の展開図である。
【図８】 表示板を折り畳んで収納可能とした本発明の表示板付き箱体容器の実施態様について示す側面裏面側からの斜視図である。
【符号の説明】
１              表示板付き箱体容器
２              箱体
３ａ            側面正面部
３ｂ            側面裏面部
４ａ、４ｂ      側面部
５              固着部
６ａ、６ｂ      蓋面部
７              フラップ
８              表示板
９              係止片
９ａ            係止片の先端
１０            被係止部
１０ａ          被係止部の先端
１１            表示板の突出部
１２            吊り下げ孔
１３            引き出し用切れ込み
１４            表示板の折り返し部
以    上
【図１】
0004685284.tif 000002
【図２】
0004685284.tif 000003
【図３】
0004685284.tif 000004
【図４】
0004685284.tif 000005
【図５】
0004685284.tif 000006
【図６】
0004685284.tif 000007
【図７】
0004685284.tif 000008
【図８】
0004685284.tif 000009